(57)【要約】【課題】製品の積み上げ高さが変動しても、製品の保護と作業者の保護とを図れる保護シートを提供する。【解決手段】保護シートは、鋼板を加工して形成された製品の端部を覆う保護シートであって、可撓性を有する矩形のシートと、磁力を有する磁力シートと、を備える。磁力シートは、シートの一方の端部に固定されている。【選択図】図１
2020090831.tif 000002
【特許請求の範囲】
【請求項１】
鋼板を加工して形成された製品の端部を覆う保護シートであって、
可撓性を有する矩形のシートと、
磁力を有する磁力シートと、を備え、
前記磁力シートは、
前記シートの一方の端部に固定されている、保護シート。
【請求項２】
前記シートは、
前記一方の端部に対向する他方の端部から、前記一方の端部に向かって切り込みが形成されている、請求項１に記載の保護シート。
【請求項３】
前記シートは、
前記切り込みを複数備える、請求項２に記載の保護シート。
【請求項４】
前記切り込みは、
前記シートの幅の中央部に形成されている、請求項２又は３に記載の保護シート。
【請求項５】
前記シートは、
前記一方の端部から前記他方の端部に向かう方向が長手方向となる長方形状である、請求項１〜４の何れか１項に記載の保護シート。
【請求項６】
前記磁力シートは、
可撓性を有する、請求項１〜５の何れか１項に記載の保護シート。
【請求項７】
前記シートは、
透明の材料で構成されている、請求項１〜６の何れか１項に記載の保護シート。
【請求項８】
前記製品は、
帯状の鋼板を塑性加工して成形された床材である、請求項１〜７の何れか１項に記載の保護シート。
【請求項９】
前記シートは、
前記一方の端部に対向する他方の端部に錘が固定されている、請求項１〜８の何れか１項に記載の保護シート。
【請求項１０】
前記錘は、
磁力を有する、請求項９に記載の保護シート。
【発明の詳細な説明】
【技術分野】
【０００１】
本発明は、金属材料を加工した製品の端部を覆う保護シートに関する。
【背景技術】
【０００２】
従来、金属材料を加工した製品は、加工した工場の製品保管場等に載置される。製品は、出荷されるまで製品保管場に積み上げられ、順次搬出され、トラック等の運搬手段により建築現場等に出荷される。
【０００３】
工場等の製品を加工する現場においては、同種の製品をまとめて製品保管場に安置されている。一方で、加工された製品が製品保管場に新たに搬入されたり、製品の出荷のため搬出されたり、頻繁に搬入及び搬出作業が行われる。
【０００４】
金属材料を加工した製品は、例えば板金を塑性加工して折り曲げて成形されており、建築物の床材として用いられるデッキプレート等がある。このような製品は、例えば工場内に設置されたクレーンにより移動され、搬入及び搬出が行われる。その際に、作業者が製品保管場内を動き周り、多数配置されている製品の間を移動し、クレーンにより搬入された製品を降ろしたり、搬出のために玉掛け作業を行っている。
【０００５】
デッキプレート金属材料を加工した製品は、平面視において、概ね矩形であり、角部に他の製品、工具が衝突すると、製品が変形してしまう場合がある。また、作業者が製品の角部に衝突した場合、負傷することも考えられる。特に、板状の金属材料を加工してできた製品の場合、製品の角部以外の切断面が鋭利になっている場合があり、人体が直接触れると切傷により出血する可能性もある。そのため、製品を安置している領域を作業者に容易に判別し易くするため、床に線を表示する等の手段により作業者に注意を促していた。
【０００６】
または、特許文献１に開示されている保護安全シートによれば、建築部材に磁気力により保護安全シートを取り付けることにより、着脱が容易で必要な部分を覆い、建築部材の保護を行っていた。
【先行技術文献】
【特許文献】
【０００７】
【特許文献１】実開平６−８５８６１号公報
【発明の概要】
【発明が解決しようとする課題】
【０００８】
従来のように、床に線を表示する等の手段を講じた場合であっても、作業者は、搬入搬出作業をする必要があるため、製品を安置している領域に進入する必要がある。そのため、作業者が製品の角部に接触する機会を無くすのは不可能であるという課題があった。
【０００９】
また、特許文献１に開示されている保護安全シートを用いた場合であっても、製品保管場に安置されている製品の量は常に変動する。そのため、複数積み上げられた製品の角部を常時保護するには、積み上げられた製品の高さに応じて複数種の保護安全シートを使い分ける必要があるという課題があった。
【００１０】
本発明は上記課題を解決するものであって、製品の積み上げ高さが変動しても、製品の保護と作業者の保護とを図れる保護シートを提供することを目的としている。
【課題を解決するための手段】
【００１１】
本発明に係る保護シートは、鋼板を加工して形成された製品の端部を覆う保護シートであって、可撓性を有する矩形のシートと、磁力を有する磁力シートと、を備え、前記磁力シートは、前記シートの一方の端部に固定されている。
【発明の効果】
【００１２】
本発明に係る保護シートによれば、可撓性を有するシートを磁力シートにより鋼製の製品に貼り付けられるため、保護シートを容易に製品の端部に取り付けることができる。また、保護シートは、磁力シートの磁力により製品に固定されるため、固定位置の移動も容易であり、さらにシートが可撓性を有するため、製品の積み上げ高さが変動しても、固定位置の移動が容易である。従って、保護シートは、着脱が容易で製品の必要な部分を覆うことができるため、製品の積み上げ高さが変動しても、製品及び作業者を保護することが可能である。
【図面の簡単な説明】
【００１３】
【図１】実施の形態１に係る保護シート１００の平面図及び側面図である。
【図２】実施の形態１に係る保護シート１００の使用例を示す斜視図である。
【図３】実施の形態１に係る保護シート１００を取り付けた床材５０を端面５１側から見た図である。
【図４】実施の形態１に係る保護シート１００を取り付けた床材５０を側方から見た図である。
【図５】実施の形態１に係る保護シート１００を取り付けた床材５０の平面図である。
【図６】実施の形態２に係る保護シート２００を取り付けた床材５０を端面５１側から見た図である。
【発明を実施するための形態】
【００１４】
以下、実施の形態を図面に基づいて説明する。なお、以下に説明する実施の形態によって本発明が限定されるものではない。各図は模式的に示すものであって、各部材の相対的な大きさや板厚等は図示する寸法に限定されるものではない。また、以下の図面では各構成部材の大きさの関係が実際のものとは異なる場合がある。また、図において各部分に付された符号について、添え字（ａ、ｂ等）を付していない場合は、添え字が付された符号を総称しているものとする。
【００１５】
実施の形態１．
図１は、実施の形態１に係る保護シート１００の平面図及び側面図である。図１（ａ）は、保護シート１００の平面図であり、図１（ｂ）は、保護シート１００の側面図である。保護シート１００は、工場、資材置き場、又は搬送トラックの荷台等に置かれる製品を保護するためのものである。
【００１６】
例えば、製品は、鋼板を塑性加工により成形したものであり、帯状に連続した鋼帯をロール成形等の手段により成形され、所定の長さで切断されたものである。このような製品の端面は、切断面となっており、板面と切断面との間のエッジが鋭く、バリ、カエリ等が生じている場合がある。よって、製品の端面に人体が触れると切創の原因となったり、衣服等が触れた場合は、引っ掛かって破れることもある。
【００１７】
製品は平面視において概ね矩形である場合が多いが、平面視において製品の角部に人が衝突すると負傷する場合がある。また、物が衝突した場合には物が破損する場合もあり、又は製品の角部が曲がる場合もある。保護シート１００は、製品の端部を保護シート１００により覆うことにより、人体が意図せずに保管している製品の端面及び角部に直接触れないようにし、かつ周囲の物が製品の端部に直接衝突するのを抑制するためのものである。
【００１８】
図１に示される様に、保護シート１００は、矩形のシート１０と、シート１０の一方の端部の表面に固定された磁力シート２０と、を備える。シート１０は、可撓性を有する透明の樹脂製のシートである。シート１０は、例えば厚さが０．５ｍｍ〜２ｍｍ程度のポリ塩化ビニルにより構成されている。しかし、シート１０の厚さ及び材料はこれだけに限定されるものではなく、保護シート１００に必要な強度、変形のし易さに応じ、適宜変更しても良い。
【００１９】
シート１０の一方の端部には磁力シート２０が固定されている。磁力シート２０は、矩形のシート１０を平面視したときの表面に固定されている。磁力シート２０とシート１０とは、例えば両面粘着テープ、接着剤、ホチキスなどの固定手段により固定されている。
【００２０】
磁力シート２０は、可撓性を有するシート状であり、磁力を有する材質で形成されている。例えば、磁力シート２０は、磁性を有する金属粉末を含む樹脂材料から構成されている。磁力シート２０の磁力は、製品への吸着力及びシート１０の重量に応じて適宜設定することができる。磁力は、保護シート１００を製品に取り付けたときに、保護シート１００が容易にずれないように設定すれば良い。
【００２１】
シート１０は、磁力シート２０が固定されている一方の端部に対向する反対側の端部（以下、他方の端部と称する。）から切り込み１３が形成されている。切り込み１３は、シート１０の幅方向の中央部にシート１０の長手方向に沿って設けられており、磁力シート２０が固定されている領域に達しない程度に設けられている。
【００２２】
実施の形態１において、切り込み１３は、シート１０の幅方向の中央部に１箇所だけ設けられているが、複数設けられていても良い。
【００２３】
（製品保管場における保護シート１００の作用）
図２は、実施の形態１に係る保護シート１００の使用例を示す斜視図である。図２は、工場の製品保管場に置かれた製品である床材５０の端部に保護シート１００を取り付けた状態を示している。床材５０は、例えば厚さ０．６ｍｍ〜２．３ｍｍの亜鉛めっき鋼板をロール成形により加工したものであり、所定の長さに切断されている。床材５０の長手方向の寸法は、製品仕様に応じ適宜設定されている。また、床材５０の端面５１は、切断面になっており、板面と切断面との間のエッジが鋭く、バリ、カエリ等が生じている場合がある。また、床材５０は平面視において矩形であり、平面視において製品の角部５２に人が衝突すると負傷する場合がある。また、角部５２又は端面５１に衝突した物が破損する場合もある。さらには、重量が重く硬い物が衝突した場合には、製品の角部５２が曲がる場合もある。
【００２４】
図３は、実施の形態１に係る保護シート１００を取り付けた床材５０を端面５１側から見た図である。図４は、実施の形態１に係る保護シート１００を取り付けた床材５０を側方から見た図である。図５は、実施の形態１に係る保護シート１００を取り付けた床材５０の平面図である。床材５０は、積み重ねて保管されている。また、床材５０を複数積み重ねて床材束５ａ〜５ｄが形成されており、床材束５ａ〜５ｄは、積み重ねて製品保管場等に保管されている。１番下にある床材束５ｄは、製品保管場の床面９の上に置かれた枕木４の上に載置されている。床材束５ａ〜５ｄの間にもそれぞれ枕木４が配置されている。床材束５ａ〜５ｄのそれぞれは、例えば同じ仕様又は同工区及び同施工場所（施工スラブ）毎に床材５０がまとめられた束であり、通常、製品保管場から出荷されるにあたりまとめて搬出される。搬出は、製品保管場に設けられたクレーンにより行われる。そのため、搬出の際に、床材束５ａ〜５ｄのそれぞれは、下側にワイヤーロープを通して玉掛け作業が行われる。枕木４は、玉掛け作業の際に床材束５ａ〜５ｄの下側にワイヤーロープを通すための空間を確保するために置かれている。
【００２５】
製品保管場において、床材束５ａ〜５ｄに玉掛け作業を行うため、製品保管場を作業者７０が通行する。製品保管場には、床材束５ａ〜５ｄと同様に多くの製品が並べて保管されている。そのため、作業者７０は、多数の製品が配置されている間を通り、搬出する製品のところまで歩行する。このとき、保護シート１００が床材束５ａ〜５ｄの端部に取り付けられていないと、作業者７０は、床材束５ａ〜５ｄの端面５１に触れたり、場合によっては衝突する場合があり、最悪の場合、端面５１の鋭利な部分により負傷する。
【００２６】
図３及び図５に示される様に、床材束５ａ〜５ｄの端部に取り付けられている保護シート１００の幅は、製品である床材５０の幅よりも大きい。実施の形態１においては、床材５０の幅は６００ｍｍになっており、これに対し、保護シート１００の幅は、７５０ｍｍに設定されている。そのため、床材５０の端面５１側から見たとき、又は平面視したときに、保護シート１００は、床材５０の角部５２を覆い、作業者７０が意図せずに角部５２に触れることがない。また、保護シート１００のシート１０の右側部分１１と左側部分１２とは、床材５０の端面５１を全域に亘って覆っている。そのため、作業者７０が端面５１のエッジに意図せずに触れることがない。保護シート１００が端部に掛けられていることにより、エッジに直接触れることがないため、作業者７０の安全が図られる。なお、保護シート１００の幅は、取り付けられる製品の幅に応じて適宜設定することができる。
【００２７】
また、図３及び図５に示される様に、床材束５ａ〜５ｄは、それぞれの１番上に配置されている床材５０に伝票３が貼り付けられている。伝票３は、例えば出荷先、製品仕様が記載されている。そのため、作業者７０は、製品保管場の通路を歩行し、製品保管場に置かれている製品を確認、出荷先の確認等を行う。伝票３は、作業者７０が確認し易い位置に貼り付けられているのが望ましい。特に、床材５０のように長手方向に長い製品を製品保管場に保管する場合は、通路側に床材５０の端面５１を向けて配置される。そのため、伝票３は、床材５０の端部に貼り付けられている方が通路から視認しやすく、多くの床材５０を管理するのに都合が良い。図４に示される様に、作業者７０は、床材５０の端部が面している通路から伝票３を確認する。
【００２８】
保護シート１００は、床材５０の端部を覆う様に床材５０に取り付けられているが、シート１０が透明な材質で形成されていることにより、床材５０に貼り付けられている伝票３を視認しやすい。また、保護シート１００のシート１０は、中央部に切り込み１３が形成されており、シート１０の右側部分１１と左側部分１２とに分割されているため、シート１０をめくって伝票３を確認するのも容易である。すなわち、作業者７０は、保護シート１００をめくり上げる際にシート１０全体をめくり上げる必要はなく、実施の形態１においては、シート１０の右側部分１１だけを持ち上げてめくり上げれば良い。また、作業者７０は、伝票３を剥がす場合等の伝票３に触れる必要があるときにおいても、シート１０の切り込み１３から手を差し入れて伝票３に触れることができる。以上のように、保護シート１００は、作業者７０の安全を図ると共に、伝票３を確認する、貼り付ける、又は剥がす等の作業を阻害することがない。
【００２９】
また、図３及び図４に示される様に、保護シート１００は、積み上げられた床材束５ａ〜５ｄの上面に磁力シート２０を貼り付け、シート１０の下端が最も下にある床材束５ｄよりも下側に位置する様に固定される。このように保護シート１００を製品に固定することにより、作業者７０の安全が図られると共に床材５０の端面５１及び角部５２の保護も図られる。また、磁力シート２０は、貼り付け作業及び剥がす作業が容易である。従って、保護シート１００のシート１０の下端が適正な位置に来るように調整するのも容易である。また、床材束５ａが搬出されたり、更に他の床材束が搬入されて、製品の積み上げ高さが変動した場合であっても、保護シート１００は、磁力シート２０の取り付け位置を調整して、シート１０が確実に床材５０の端面５１及び角部５２を覆う様に位置を調整することができる。即ち、保護シート１００は、製品保管場のように常に製品の積み上げ高さが一定でないような状況であっても、確実に製品の端部を覆い、製品の保護と作業者７０の保護とを図れる。
【００３０】
実施の形態１においては、具体的には、製品の積み上げ高さが１２００ｍｍ程度であるのに対し、保護シート１００の長手方向の長さは、１４００ｍｍに設定されている。また、磁力シート２０は、保護シート１００の長手方向に沿った長さが２００ｍｍに設定されている。ただし、この保護シート１００の各部の寸法は一例であり、この寸法に限定されるものではない。保護シート１００の長手方向の長さは、製品の積み上げ高さ及び作業性に応じて適宜設定することができる。
【００３１】
なお、以上においては、例えば工場等の製品保管場における保護シート１００の使用について説明したが、保護シート１００が使用される場所は、工場等の製品保管場だけに限定されるものではない。例えば、建築現場において製品を一時的に置いておく場合や、トラックなどの荷台に載置された状態においても使用することができ、保護シート１００は、製品の保護及び作業者７０の保護を図ることができる。
【００３２】
（実施の形態１の効果）
実施の形態１に係る保護シート１００は、鋼板を加工して形成された製品の端部を覆う保護シート１００であって、可撓性を有する矩形のシート１０と、磁力を有する磁力シート２０と、を備える。磁力シート２０は、シート１０の表面に固定され、シート１０の一方の端部に固定されている。
この構成を備えることにより、保護シート１００は、シート１０が製品の端部の形状に追従して覆い、磁力シート２０を製品に貼り付けて固定できるため、着脱容易であり、置いてある製品の端部を容易な作業で覆うことができる。また、製品に磁力シート２０を貼り付ける位置を固定することにより、保護シート１００の位置を調整することができるため、製品の積み上げ高さが変動しても適正な位置に保護シート１００を配置することができる。従って、製品を保管する際において、確実に作業者７０の保護と製品の端部の保護とを図ることができる。
【００３３】
また、シート１０は、他方の端部から一方の端部に向かって切り込み１３が形成されている。さらには、切り込み１３は、シート１０の長手方向に沿って形成され、シート１０の幅の中央部に形成されている。
この構成を備えることにより、保護シート１００は、シート１０が分割されているため、シート１０を製品の端部の形状に沿わせ易い。仮にシート１０が分割されていない場合、シート１０は矩形の１枚のシートであるため、単純な形状（例えば、立方体等）の端部を覆うことができる。しかし、例えば実施の形態１の床材５０の様に凹凸形状を有する複雑な形状の製品の端部を覆う場合、部分的にシート１０が浮き上がり、床材５０の角部５２が上下の全域に亘って覆えないことが考えられる。シート１０が分割されている場合、例えば実施の形態１に係る保護シート１００においては、切り込み１３で右側部分１１と左側部分１２との距離が可変であるため、右側部分１１と左側部分１２とが製品の形状に追従しやすい。特に、床材５０の様に複数の凸部５３を備えるような製品の場合、磁力シート２０がその形状に沿って貼り付けられるため、シート１０も歪みが生じる。しかし、切り込み１３により右側部分１１と左側部分１２とが左右に開き、床材５０の２つの角部５２に追従して覆うことができる。従って、作業者７０の保護と製品の端部の保護とを図ることができる。
また、シート１０が切り込み１３により右側部分１１と左側部分１２とに分割され別々にめくり上げることができるため、作業者７０がシート１０をめくり上げる作業も容易で、製品に貼り付けられている伝票３に触れるのも容易になり、作業性が向上する。
【００３４】
また、シート１０は、切り込み１３を複数備えても良い。
この構成を備えることにより、例えば、幅の広い製品又は上面の凹凸が床材５０よりも更に多く複雑な形状を備える製品等においても、複数の切り込み１３により、分割されたシート１０の各部分は、配置の自由度が高く、製品の端部の形状に追従し易い。
【００３５】
また、シート１０は、一方の端部から他方の端部に向かう方向が長手方向となる長方形状である。
この構成を備えることにより、保護シート１００は、特に製品が保管されている状態において平面視で一方に長く、長手方向に対して幅方向寸法が小さい製品の端部を覆うのに適している。即ち、製品の積み上げ高さが変動した場合において、保護シート１００は、製品の長手方向に沿って保護シート１００を貼り付ける位置を移動させて磁力シート２０を製品に固定することができる。貼り付け位置を移動することにより、保護シート１００は、シート１０を適正な長さで製品の端部から吊り下げ、製品の端部を確実に覆うことができる。
【００３６】
また、磁力シート２０は、可撓性を有する。
この構成を備えることにより、保護シート１００は、製品の上面が複雑な形状を有していても磁力シート２０が追従し、製品に確実に貼り付けることができる。
【００３７】
また、シート１０は、透明の材料で構成されている。この構成を備えることにより、保護シート１００が覆った製品の端部を外部から視認し易くなり、製品の管理等において有利である。なお、シート１０は、透明で内部の視認性が高い方が望ましいが、半透明、または光が透過しない材料を使用しても良い。
【００３８】
製品は、帯状の鋼板を塑性加工して成形された床材５０である。保護シート１００は、建築物に適用される床材５０等の一方に長く幅寸法が小さい形状の製品の端部を保護する場合に都合が良い。床材５０は、例えば製品保管場において長手方向を揃えて置かれる。床材５０は、多くの製品を適用される建築物に応じて長さが変わるため、製品保管場において多くの製品の搬入搬出管理をする際に、製品の出荷先や仕様を表示する伝票３が付されて置かれている。床材５０は、長手方向の端部を通路側に向けて、端部を通路に沿って並べて配置されている。その端部に伝票３に付することにより、多数の床材５０の伝票３を確認する効率が向上する。保護シート１００は、その通路に沿って並べられた床材５０の端部を覆い保護するため、作業者７０の保護と製品の端部の保護とを図ると共に伝票３の確認作業を阻害することがないという利点がある。
【００３９】
実施の形態２．
実施の形態２に係る保護シート２００は、実施の形態１の保護シート１００のシート１０の端部に錘８を追加したものである。なお、以下の実施の形態においては、実施の形態１に対する変更点を中心に説明する。
【００４０】
図６は、実施の形態２に係る保護シート２００を取り付けた床材５０を端面５１側から見た図である。保護シート２００は、シート１０の磁力シート２０が固定されている側の端部とは反対側の端部に錘８が取り付けられている。錘８は、シート１０の右側部分１１及び左側部分１２のそれぞれに設けられている。そして、錘８は、シート１０の角部に固定されている。ただし、錘８を設置する位置はこれだけに限定されるものではない。例えば、シート１０の右側部分１１及び左側部分１２の下端部において、幅方向の全域に設けたり、幅方向に複数設けても良い。
【００４１】
（実施の形態２の効果）
保護シート２００は、錘８を備えることにより、保護シート２００が床材５０に取り付けられている状態において、シート１０の端部が床面９側により確実に位置するようになる。つまり、例えば製品保管場において風が生じた場合においても、シート１０の端部が浮き上がるのを抑えることができるため、保護シート２００は、製品の端部をより確実に覆うことができる。また、作業者７０がシート１０に触れたときに容易にシート１０が移動しにくいため、作業者７０が意図せずにシート１０を移動させて床材５０の端面５１又は角部５２に接触するのを抑制することができる。
【００４２】
なお、錘８は、磁力を有していても良い。このように構成されることにより、錘８を床材束５ａ〜５ｄのうち最も床面９側に位置する床材束５ｄの下面に貼り付けることもできる。即ち、保護シート２００は、長手方向の両端において磁力により固定される。そのため、保護シート２００により製品の端部を覆った状態を維持したい場合に都合が良い。また、錘８の形状、設ける位置、大きさ、及び数量は、適宜変更しても良い。
【００４３】
以上に本発明を実施の形態に基づいて説明したが、本発明は上述した実施の形態の構成のみに限定されるものではない。特に構成要素の組み合わせは、各実施の形態における組み合わせのみに限定するものではなく、他の実施の形態に記載した構成要素を別の実施の形態に適用することができる。また、いわゆる当業者が必要に応じてなす種々なる変更、応用、利用の範囲をも本発明の要旨（技術的範囲）に含むことを念のため申し添える。
【符号の説明】
【００４４】
３  伝票、４  枕木、５ａ  床材束、５ｂ  床材束、５ｃ  床材束、５ｄ  床材束、８  錘、９  床面、１０  シート、１１  右側部分、１２  左側部分、１３  切り込み、２０  磁力シート、５０  床材、５１  端面、５２  角部、５３  凸部、７０  作業者、１００  保護シート、２００  保護シート。
【図１】
2020090831.tif 000003
【図２】
2020090831.tif 000004
【図３】
2020090831.tif 000005
【図４】
2020090831.tif 000006
【図５】
2020090831.tif 000007
【図６】
2020090831.tif 000008